(57)【特許請求の範囲】
【請求項１】
二輪自動車、二輪自転車等の二輪車両を個々に留置する二輪車両留置手段付きの格納スペースからなる二輪車両駐車装置において、上記格納スペースは、乗員のヘルメットを含む荷物を保管するために、少なくとも１つの荷受台を格納車両と対応して備えてなり、
前記格納スペースの近傍まで二輪車両を搬送する搬送機と、この搬送機と格納スペースとの間で二輪車両を受け渡しする車両出し入れ手段、格納スペースの荷受台と搬送機との間で荷物を受け渡しする荷扱い手段を構成してなることを特徴とする二輪車両駐車装置。
【請求項２】
二輪自動車、二輪自転車等の二輪車両を格納駐車する二輪車両駐車装置を構成し、その二輪車両を載せて目的の格納スペースに移動する搬送台を備える搬送機において、上記搬送台は、格納スペースと搬送機との間で荷物を受け渡しする荷扱い手段を備えてなることを特徴とする搬送機。
【発明の詳細な説明】
【０００１】
【発明の属する技術分野】
本発明は、二輪自動車、二輪自転車等の二輪車両を格納駐車するための二輪車両駐車装置に関し、特に、ヘルメット等の荷物を車両本体と合わせて取り扱うことができる二輪車両駐車装置に関する。
【０００２】
【従来の技術】
オートバイ等の二輪車両を駐車格納するための移送パレット式または自走案内式の駐輪施設は、二輪車両の駐車格納スペースと二輪車両を搬送する搬送機とから構成され、必要に応じて格納二輪車両の受け渡しのための入出庫バースを所定位置に設ける。
【０００３】
【発明が解決しようとする課題】
しかしながら、上記駐車装置は、積載した荷物を車両の荷台やかごから突出したまま駐車格納すると、車両搬送時に周囲と干渉して荷物が損傷を受けたり搬送機の稼動上の障害ともなり、また、盗難等の問題が生じることから、従来の二輪車両駐車装置の取り扱いは車両本体に限られていた。
したがって、車両本体を上記二輪車両駐車装置に駐車格納した際は、メットイン型のオートバイ・スクータを除き、手元に残るヘルメット、積載荷物等の取り扱いの煩わしさを避けられなかった。
【０００４】
本発明の目的は、メットイン型のオートバイ・スクータに限らず、ヘルメット等の荷物を車両本体と合わせて取り扱うことができる二輪車両駐車装置を提供することにある。
【０００５】
【課題を解決するための手段】
上記課題を解決するために、本発明は、二輪車両駐車装置の各格納スペースに荷受台を設け、さらに、必要な荷扱い手段を合理的に配置することを要旨とする。その具体的な解決手段は以下のとおりである。
【０００６】
二輪自動車、二輪自転車等の二輪車両を個々に留置する二輪車両留置手段付きの格納スペースからなる二輪車両駐車装置において、上記格納スペースは、乗員のヘルメットを含む荷物を保管するために、少なくとも１つの荷受台を格納車両と対応して備えてなり、 前記格納スペースの近傍まで二輪車両を搬送する搬送機と、この搬送機と格納スペースとの間で二輪車両を受け渡しする車両出し入れ手段、格納スペースの荷受台と搬送機との間で荷物を受け渡しする荷扱い手段を構成したから、上記構成の二輪車両駐車装置は、格納車両と対応して格納スペースに荷受台を設けることにより、その荷受台に荷物を保管することができるので、乗員のヘルメットを含む車載の荷物とともに二輪車両の駐車ができる。したがって、上記二輪車両駐車装置は、メットイン型のオートバイ・スクータに限ることなく、簡易な構成によって車両本体と共にヘルメット等の荷物の保管が可能となるので、二輪車両駐車装置の利便性を向上することができる。さらに搬送機が二輪車両を格納スペースまで搬送し、出し入れ手段が搬送機と格納スペースとの間で二輪車両の受け渡しを行い、また、荷扱い手段が格納スペースの荷受台と搬送機との間で荷物を受け渡しすることから、荷物を含めた入出庫の取り扱いが容易となる。
【０００７】
また、二輪自動車、二輪自転車等の二輪車両を格納駐車する二輪車両駐車装置の二輪車両を載せて目的の格納スペースまで移動する搬送台を備える搬送機において、上記搬送台は、格納スペースと搬送機との間で荷物を受け渡しする荷扱い手段を備えることにより、個々の格納スペースに荷扱い手段を要することなく、搬送機上の荷扱い手段によって共通に荷扱いができるので、荷物の取り扱いが可能な二輪車両駐車装置を全体として簡易に構成することができる。
【０００８】
【発明の実施の形態】
本発明は、二輪自動車、二輪自転車等の二輪車両を格納駐車する二輪車両駐車装置の各格納スペースに荷受台を設けたことをポイントとする。その具体的な一例として、搬送機を備える二輪自動車用の駐車装置に本発明を適用した場合の実施の形態について図面を参照しつつ以下に説明する。
【０００９】
図１は本発明の二輪車両駐車装置を構成する搬送機の要部を示す斜視図である。
搬送機１は、地下駐輪装置等に用いられる二輪車両の搬送のための一般的な搬送手段にヘルメット等の荷物の受け渡しのための荷扱い手段を併設して構成した例である。
【００１０】
搬送機１は、二輪車両を載せて昇降および水平転回が可能な搬送台３と、この搬送台３上の車両を走行姿勢に保持して格納ブロックとの間で強制的に出し入れを行う車両用クランプ４による出し入れ手段と、ヘルメット等の荷物を受け渡しする荷物用クランプ５による荷扱い手段とから構成する。
【００１１】
車両用クランプ４は、二輪車両の前輪をクランプして車両を走行姿勢に拘束するための開閉可能なクランプ機構であり、搬送台３をガイドレールとして前後に進退可能な走行部６と、ベルト等による長ストロークの駆動手段８とを備え、搬送台３の前方に接続する図示せぬ格納ブロックとの間を進退動作して同格納ブロックとの間で二輪車両を受け渡しする。
荷物用クランプ５は支柱９を介して上記走行部６に固定することにより、車両用クランプ４とともに格納ブロックとの間を進退動作し、その開閉によってヘルメット等の荷物を受け渡す。
【００１２】
図２は本発明の二輪車両駐車装置を構成するヘルメット用荷受台の構成例を示す側面図（ａ）とそのＡ矢視図（ｂ）である。
ヘルメット用荷受台１１は、格納ブロック毎に格納車両の近傍にヘルメットを保管する装置であり、例えば、２枚の板１２、１２を平行に起立し、それぞれにヘルメット１３の丸みに沿った円弧状の切欠き１４を形成することにより、上記荷物用クランプ５による取り扱い性と安定支持性とを簡易に満たすことができる。
【００１３】
図３は本発明の二輪車両駐車装置の搬送機により二輪車両とヘルメットを搬送する態様を示す斜視図である。
搬送機１は、縦軸を中心に回転可能な昇降レール２１に沿って搬送台３を備え、この搬送台３に二輪車両２２を載せて昇降および水平転回等により、二輪車両２２の受け渡しのための目的の位置に移動可能に構成する。
搬送台３の車両用クランプ４は、二輪車両２２の前輪２２ａをクランプして車両２２を走行姿勢に拘束し、また、荷物用クランプ５はヘルメット２３を保持することにより、能率良く確実に二輪車両２２とヘルメット２３を取り扱うことができる。
【００１４】
図４は本発明の二輪車両駐車装置の格納スペースにおける取り扱いの態様を示す斜視図である。
二輪車両用の載置台３１から支持アーム３２を介してヘルメット用荷受台１１を車両２２の近傍の所定位置に設けて個々の格納スペースを構成する。
載置台３１は図示せぬ側受等の二輪車両留置手段を備えて二輪車両２２を安定保持するとともに、搬送台３と同様に、走行部６が前後に進退可能なガイドレールとして構成する。
【００１５】
車両２２とヘルメット２３の受け渡しは、載置台３１に接続する位置まで搬送台３が移動した上で走行部６が搬送台３から載置台３１に進入することにより、車両用クランプ４が車両の出し入れ手段として、また、荷物用クランプ５が荷扱い手段として機能し、搬送機と格納スペースとの間で車両２２とヘルメット２３を並行して受け渡し処理することができる。
【００１６】
上述のように、本発明の二輪車両駐車装置は、二輪自動車に代えて二輪自転車を取り扱うべく構成した場合、および、ヘルメットに代えて荷物一般を収納しうる箱体を取り扱うべく構成した場合についても同様に適用することができる。
また、本発明は、専用の入出庫バースを持つ構成から、搬送機を持たずに格納スペースに車両を直接的に持ち込む構成の二輪車両駐車装置まで、幅広い適用が可能である。
【００１７】
【発明の効果】
本発明の二輪車両駐車装置及びその搬送機は以下の効果を奏する。
上記構成の二輪車両駐車装置は、格納車両と対応して格納スペースに荷受台を設けることにより、その荷受台に荷物を保管することができるので、乗員のヘルメットを含む車載の荷物とともに二輪車両の駐車ができる。
したがって、上記二輪車両駐車装置は、メットイン型のオートバイ・スクータに限ることなく、簡易な構成によって車両本体と共にヘルメット等の荷物の保管が可能となり、二輪車両駐車装置の利便性を向上することができる。
【図面の簡単な説明】
【図１】本発明の二輪車両駐車装置を構成する搬送機の要部を示す斜視図
【図２】本発明の二輪車両駐車装置を構成するヘルメット用荷受台の構成例を示す側面図（ａ）とそのＡ矢視図（ｂ）
【図３】本発明の二輪車両駐車装置の搬送機により二輪車両とヘルメットを搬送する態様を示す斜視図
【図４】本発明の二輪車両駐車装置の格納スペースにおける取り扱いの態様を示す斜視図
【符号の説明】
１    搬送機
３    搬送台
４    車両用クランプ（出し入れ手段）
５    荷物用クランプ（荷扱い手段）
６    走行部
９    支柱
１１    ヘルメット用荷受台（荷受台）
２２    二輪車両
２３    ヘルメット（荷物）
３１    載置台
【図１】
0004574836.tif 000002
【図２】
0004574836.tif 000003
【図３】
0004574836.tif 000004
【図４】
0004574836.tif 000005